(57)【特許請求の範囲】
【請求項１】
基板に光源が配設された光源ユニットと、
前記光源ユニットの前方側に配置され、前記光源からの照明光により照明される被照明部材と、
前記基板と前記被照明部材との間に配置され、前記光源に対応するように設けられる空洞部を有するケース体とを備え、
前記基板が前記空洞部の下端側開口を塞ぐように配設されるとともに前記被照明部材が前記下端側開口とは反対側となる前記空洞部の上端側開口を塞ぐように配設されてなる照明装置において、
前記上端側開口に切り欠き部を設けたことにより前記被照明部材と前記ケース体との間に形成される間隙部は、前記空洞部と連通しており、前記光源が発した熱を前記空洞部から前記ケース体の外部へと放出するための熱放出部としての機能を有していることを特徴とする照明装置。
【請求項２】
基板に光源が配設された光源ユニットと、
前記光源ユニットの前方側に配置され、前記光源からの照明光により照明される被照明部材と、
前記基板と前記被照明部材との間に配置され、前記光源に対応するように設けられる空洞部を有するケース体と、
前記ケース体と前記被照明部材との間に位置し前記ケース体上に載置される拡散部材とを備え、
前記基板が前記空洞部の下端側開口を塞ぐように配設されるとともに前記拡散部材が前記下端側開口とは反対側となる前記空洞部の上端側開口を塞ぐように配設されてなる照明装置において、
前記上端側開口に切り欠き部を設けたことにより前記拡散部材と前記ケース体との間に形成される間隙部は、前記空洞部と連通しており、前記光源が発した熱を前記空洞部から前記ケース体の外部へと放出するための熱放出部としての機能を有していることを特徴とする照明装置。
【請求項３】
前記基板には前記光源に点灯用電力を供給するための配線パターンが設けられ、
前記配線パターンは、前記基板と前記ケース体との当接箇所を避けるように前記基板に設けられてなることを特徴とする請求項１または請求項２記載の照明装置。
【発明の詳細な説明】
【技術分野】
【０００１】
本発明は、例えばヘッドアップディスプレイに搭載される液晶表示パネル（被照明部材）を照明するための照明装置に関するものである。
【背景技術】
【０００２】
従来より、この種の照明装置にあっては、例えば下記特許文献１に記載されているものが知られている。この特許文献１に記載の照明装置は、回路基板としての基板上に光源（ＬＥＤ）が実装（配設）された光源ユニットと、この光源ユニットの前方側に配置され、光源からの照明光により照明される液晶表示パネル（被照明部材）と、基板と液晶表示パネルとの間に配置され、光源に対応するように設けられる空洞部を有する合成樹脂からなるケース体と、このケース体と液晶表示パネルとの間に介在しケース体上に載置される拡散部材とを備えている。
【０００３】
そして、この場合、ケース体が光源を包囲するように基板上に載置され、且つ液晶表示パネルが最も上側に位置するように拡散部材と液晶表示パネルとがケース体上に積層配置された構成となっている。つまり、このことは、光源ユニットの基板が空洞部の下端側開口を塞ぐように配設され、且つ、拡散部材（液晶表示パネル）が前記下端側開口とは反対側となる空洞部の上端側開口を塞ぐように配設された構成であることを意味している。
【０００４】
かかる構成によれば、光源から発せられた照明光は、ケース体内部である空洞部を通過した後、ケース体上に載置された拡散部材を通じて略均一化され、この略均一化された照明光が拡散部材上に載置された液晶表示パネルを透過照明する。これにより液晶表示パネルがバックライト照明されるようになっている。
【先行技術文献】
【特許文献】
【０００５】
【特許文献１】特開２００５−１８１６４０号公報
【発明の概要】
【発明が解決しようとする課題】
【０００６】
上述した特許文献１に記載の照明装置の場合、拡散部材（液晶表示パネル）と基板との間にケース体が配置され、拡散部材と基板とケース体との三者で囲まれる前記空洞部が密閉空間として形成されるため、光源が発光した際に生じる熱が前記密閉空間内にこもるという問題がある。そして、前記密閉空間に熱がこもると、前記密閉空間の周辺に位置するケース体等が高温状態となって変形し、被照明部材である液晶表示パネルの照明品質低下を招く虞がある。
そこで本発明は、前述の課題に対して対処するため、光源の発光時に生じる熱によってケース体等が変形するのを防止し、被照明部材の照明品質が低下する虞のない照明装置の提供を目的とするものである。
【課題を解決するための手段】
【０００７】
本発明は、基板に光源が配設された光源ユニットと、前記光源ユニットの前方側に配置され、前記光源からの照明光により照明される被照明部材と、前記基板と前記被照明部材との間に配置され、前記光源に対応するように設けられる空洞部を有するケース体とを備え、前記基板が前記空洞部の下端側開口を塞ぐように配設されるとともに前記被照明部材が前記下端側開口とは反対側となる前記空洞部の上端側開口を塞ぐように配設されてなる照明装置において、前記上端側開口に切り欠き部を設けたことにより前記被照明部材と前記ケース体との間に形成される間隙部は、前記空洞部と連通しており、前記光源が発した熱を前記空洞部から前記ケース体の外部へと放出するための熱放出部としての機能を有していることを特徴とする。
【０００８】
また本発明は、基板に光源が配設された光源ユニットと、前記光源ユニットの前方側に配置され、前記光源からの照明光により照明される被照明部材と、前記基板と前記被照明部材との間に配置され、前記光源に対応するように設けられる空洞部を有するケース体と、前記ケース体と前記被照明部材との間に位置し前記ケース体上に載置される拡散部材とを備え、前記基板が前記空洞部の下端側開口を塞ぐように配設されるとともに前記拡散部材が前記下端側開口とは反対側となる前記空洞部の上端側開口を塞ぐように配設されてなる照明装置において、前記上端側開口に切り欠き部を設けたことにより前記拡散部材と前記ケース体との間に形成される間隙部は、前記空洞部と連通しており、前記光源が発した熱を前記空洞部から前記ケース体の外部へと放出するための熱放出部としての機能を有していることを特徴とする。
【００１０】
また本発明は、前記基板には前記光源に点灯用電力を供給するための配線パターンが設けられ、前記配線パターンは、前記基板と前記ケース体との当接箇所を避けるように前記基板に設けられてなることを特徴とする。
【発明の効果】
【００１１】
本発明によれば、初期の目的を達成でき、光源の発光時に生じる熱によってケース体等が変形するのを防止し、被照明部材の照明品質が低下する虞のない照明装置を提供できる。
【図面の簡単な説明】
【００１２】
【図１】本発明の実施形態によるヘッドアップディスプレイ装置の概略図。
【図２】同実施形態による表示装置の断面図。
【図３】同実施形態による照明装置の断面図。
【図４】同実施形態によるケース体と基板を示す斜視図。
【図５】同実施形態の変形例によるケース体と基板を示す斜視図。
【図６】同実施形態の他の変形例によるケース体と基板を示す斜視図。
【発明を実施するための形態】
【００１３】
以下、図１〜図４に基づいて、本発明を車両用のヘッドアップディスプレイ装置に適用した一実施形態を説明する。
【００１４】
ヘッドアップディスプレイ装置は、図１に示すように車両１０のインパネ１１内部に配設された表示ユニットである表示装置１２が投射する表示光Ｌを投影部材である車両１０のフロントガラス１３で車両１０の運転者（利用者）１４の方向に反射させ、虚像Ｖの表示を行うものである。換言すれば、車両用ヘッドアップディスプレイ装置は、表示装置１２の後述する表示器から発せられる表示光Ｌをフロントガラス１３（前記投影部材）に照射（投射）し、この照射によって得られた虚像（表示像）Ｖを運転者１４に視認させるものである。これにより運転者１４は、運転席の正面前方に表示される虚像Ｖを風景と重畳させて観察することができる。
【００１５】
表示装置１２は、図２に示すように照明装置である表示器２０と、反射器３０と、ハウジング４０とから主に構成されている。
【００１６】
表示器２０は、図３に詳しく示すように、基板である回路基板２１上に複数個（例えば２個）の光源２２が実装（配設）された光源ユニット２３と、各光源２２からの照明光により透過照明される被照明部材である液晶表示パネル２４と、光源ユニット２３と液晶表示パネル２４との間に配置される拡散部材２５と、この拡散部材２５と液晶表示パネル２４との間に位置するレンズ部材２６と、各光源２２を包囲するように回路基板２１と拡散部材２５（液晶表示パネル２４）との間に配置されるケース体２７と、これら各部を保持して収容する筐体２８とを備えてなる。
【００１７】
回路基板２１は、例えば所定の配線パターンが施された硬質の配線基板からなり、前記配線パターン上に各光源２２が搭載されている。なお、２１ａ、２１ｂは、ケース体２７に設けられる後述する第１、第２のネジ孔とそれぞれ連通するように設けられる略円形の第１、第２の開口孔であり、これら開口孔２１ａ、２１ｂは、回路基板２１の両端側にそれぞれ形成されている（図４参照）。
【００１８】
光源２２は、例えば適宜色を発するチップ型発光ダイオード（ＬＥＤ）からなり、拡散部材２５（液晶表示パネル２４）に照明光を供給する発光体である。
【００１９】
液晶表示パネル２４は、例えば一対の透光性基板に液晶を封入した液晶セルの前後面に偏光膜を各々設けたＴＦＴ（薄膜トランジスタ）型の液晶表示素子からなり、各光源２２からの照明光（換言すればレンズ部材２６から出射される平行出射光）を透過して表示光Ｌを形成するように光源ユニット２３（レンズ部材２６）の前方側に配置されている。
【００２０】
かかる液晶表示パネル２４は、車両１０に設けられる車速センサやエンジン回転センサからの出力信号に基づいて車速，エンジン回転数を計測する演算回路（図示せず）並びにこの演算結果に基づいて前記液晶を駆動する駆動回路（図示せず）によって、車両１０の速度またはエンジン回転数の計測値を数値として表示することができる。
【００２１】
なお、液晶表示パネル２４によって表示される表示情報は、車速やエンジン回転数に限らず任意であり、例えば走行距離情報、ナビゲーション情報、外気温情報であってもよい。
【００２２】
拡散部材２５は、例えば乳白色を有する光透過性の合成樹脂からなり、略平板状に形成され、ケース体２７とレンズ部材２６（液晶表示パネル２４）との間に位置し、この場合、ケース体２７に設けられる後述する空洞部の上端側開口を塞ぐようにケース体２７上に載置されている。かかる被載置部材である拡散部材２５は、各光源２２から発せられ、レンズ部材２６側へと向かう照明光を略均一に拡散させるための光拡散板としての機能を有している。
【００２３】
レンズ部材２６は、透光性合成樹脂からなり、背面側（拡散部材２５側）が平坦面であるとともに前面側（液晶表示パネル２４側）が凸面である凸レンズからなり、拡散部材２５から出射される拡散出射光を集光させる集光部材としての機能を有している。つまり、レンズ部材２６は、前記拡散出射光に対し所望の屈折を与え、略平行光束化された平行出射光を液晶表示パネル２４側に向けて出射するようになっている。
【００２４】
ケース体２７は、例えば合成樹脂からなり、略枠形状に形成され、各光源２２からの照明光が導入される空洞部５０と、この空洞部５０を取り囲むように設けられる略枠状の本体部６０とを有している。
【００２５】
空洞部５０は、各光源２２に対応するように設けられ、各光源２２から発せられる照明光を拡散部材２５側（つまり液晶表示パネル２４側）へと導く照明空間として形成されている。そして、この場合、回路基板２１が空洞部５０の下端側開口５１を塞ぐように配設されているとともに、拡散部材２５が下端側開口５１とは反対側となる空洞部５０の上端側開口５２を塞ぐようにケース体２７上に載置（配設）されている。
【００２６】
本体部６０は、図４に示すように対をなすように２つに分割形成された構成となっている。具体的には、本体部６０は、図４中、左方に位置する第１の基部６１と、図４中、右方に位置する第２の基部６２とに分割された構成となっている。つまり、本体部６０は、空洞部５０を介して一対の基部６１、６２を有するように分割形成された構成となっている。
【００２７】
また、この場合、第１の基部６１と第２の基部６２とは、幾何学的に言うと、液晶表示パネル２４側からケース体２７を正視したときに、仮想中心点である図４中、回路基板２１の中心点Ｃ（もしくは詳細図示は省略するが各基部６１、６２を組み合わせた外形形状と略同一の外形形状を有する拡散部材２５の中心点）を中心として点対称な形状となっている。すなわち、中心点Ｃを中心として第１の基部６１を１８０度だけ回転すると、第１の基部６１が第２の基部６２に完全に重なる形状となっている。
【００２８】
第１の基部６１は、第２の基部６２の後述する第３の対向壁部と対向する立壁部からなる第１の対向壁部６１ａと、第２の基部６２の後述する第４の対向壁部と対向する立壁部からなる第２の対向壁部６１ｂと、第１の対向壁部６１ａの下端側から回路基板２１と平行状態をなすように図４中、矢印Ｘ方向に延在する平板状の第１の鍔部６１ｃとが一体形成された構成となっている。
【００２９】
そして、図４中、第１の対向壁部６１ａの上端側中央部には、凹部（窪み）形状をなすように切り欠き形成され、各光源２２が発した熱をケース体２７の外部へ放出させるための熱放出部である第１の切り欠き部６１ｄが形成され、また第１の対向壁部６１ａと第１の鍔部６１ｃとの境界部分には、第１の貫通孔部６１ｅが形成されている。
【００３０】
かかる第１の貫通孔部６１ｅは、第１の対向壁部６１ａと第１の鍔部６１ｃとの境界部分の略中央領域を刳り貫くことで開口形成された開口窓部からなり、ケース体２７の周囲に存在する空気（外気）を導入するための外気導入部として機能してなる。
【００３１】
さらに図４中、第２の対向壁部６１ｂの上端側中央部には、凹部（窪み）形状をなすように切り欠き形成され、各光源２２が発した熱をケース体２７の外部へ放出させるための熱放出部である第２の切り欠き部６１ｆが形成されているとともに、第２の対向壁部６１ｂの下端側中央部には、逆凹部（窪み）形状をなすように切り欠き形成され、ケース体２７の周囲に存在する空気（外気）を導入するための外気導入部である第３の切り欠き部６１ｇが形成されている。
【００３２】
また、空洞部５０と第１の基部６１との境界部となる第１の対向壁部６１ａの内壁部（内壁面）並びに空洞部５０と第１の基部６１との境界部となる第２の対向壁部６１ｂの内壁部（内壁面）には、アルミ蒸着やクロムメッキ等によって鏡面状態となる鏡面層６３が形成されている。
【００３３】
なお、詳細図示は省略するが、図４において、前記第４の対向壁部と対向する第１の対向壁部６１ａ箇所には、鏡面層６３が形成されないようになっている。また、第１の鍔部６１ｃには、回路基板２１に設けられた第１の開口孔２１ａと連通するように設けられ、ネジＳのネジ部が貫通する第１のネジ孔６１ｈが形成されている。
【００３４】
同様に、第２の基部６２は、第１の対向壁部６１ａと対向する立壁部からなる第３の対向壁部６２ａと、第２の対向壁部６１ｂと対向する立壁部からなる第４の対向壁部６２ｂと、第３の対向壁部６２ａの下端側から回路基板２１と平行状態をなすように図４中、矢印Ｘ方向とは反対方向に延在する平板状の第２の鍔部６２ｃとが一体形成された構成となっている。
【００３５】
そして、図４中、第３の対向壁部６２ａの上端側中央部には、凹部（窪み）形状をなすように切り欠き形成され、各光源２２が発した熱をケース体２７の外部へ放出させるための熱放出部である第４の切り欠き部６２ｄが前述した第１の切り欠き部６１ｄと向かい合うように形成され、また第３の対向壁部６２ａと第２の鍔部６２ｃとの境界部分には、第１の貫通孔部６１ｅと向かい合うように第２の貫通孔部６２ｅが形成されている（図３参照）。
【００３６】
かかる第２の貫通孔部６２ｅは、詳細図示は省略するが、第１の貫通孔部６１ｅと略同一形状となっており、第３の対向壁部６２ａと第２の鍔部６２ｃとの境界部分の略中央領域を刳り貫くことで開口形成された開口窓部からなり、ケース体２７の周囲に存在する空気（外気）を導入するための外気導入部として機能してなる。
【００３７】
さらに図４中、第４の対向壁部６２ｂの上端側中央部には、凹部（窪み）形状をなすように切り欠き形成され、各光源２２が発した熱をケース体２７の外部へ放出させるための熱放出部である第５の切り欠き部６２ｆが前述した第２の切り欠き部６１ｆと向かい合うように形成されているとともに、第４の対向壁部６２ｂの下端側中央部には、逆凹部（窪み）形状をなすように切り欠き形成され、ケース体２７の周囲に存在する空気（外気）を導入するための外気導入部である第６の切り欠き部６２ｇが前述した第３の切り欠き部６１ｇと向かい合うように形成されている。
【００３８】
また、空洞部５０と第２の基部６２との境界部となる第３の対向壁部６２ａの内壁部（内壁面）並びに空洞部５０と第２の基部６２との境界部となる第４の対向壁部６２ｂの内壁部（内壁面）には、アルミ蒸着やクロムメッキ等によって鏡面状態となる前述した鏡面層６３が形成されている。
【００３９】
なお、詳細図示は省略するが、図４において、第２の対向壁部６１ｂと対向する第３の対向壁部６２ａ箇所には、鏡面層６３が形成されないようになっている。また、第２の鍔部６２ｃには、回路基板２１に設けられた第２の開口孔２１ｂと連通するように設けられ、ネジＳのネジ部が貫通する第２のネジ孔６２ｈが形成されている。
【００４０】
筐体２８は、合成樹脂材料からなり、略箱形状にて形成され、光源ユニット２３、液晶表示パネル２４、拡散部材２５、レンズ部材２６並びにケース体２７を収納する収納部材としての機能を有しており、液晶表示パネル２４の表示エリア（図示せず）を臨ませるための開口部２８ａを備えている。
【００４１】
次に、回路基板２１とケース体２７とに着目し、これら両者を組み付けるための組み付け例を説明する。まず、第１の対向壁部６１ａの内壁部と第３の対向壁部６２ａの内壁部、及び第２の対向壁部６１ｂの内壁部と第４の対向壁部６２ｂの内壁部とがそれぞれ向かい合うように第１の基部６１と第２の基部６２とを位置合わせする。
【００４２】
次に、第３の対向壁部６２ａに対応する第２の対向壁部６１ｂ箇所となる第１の側面部Ｒ１並びに第１の対向壁部６１ａに対応する第４の対向壁部６２ｂ箇所となる第２の側面部Ｒ２に両面テープ（図示せず）を貼り付ける。
【００４３】
そして、この状態から第２の基部６２を矢印Ｘ方向に沿うように平行移動させることで、第１の側面部Ｒ１がこれに対向する第３の対向壁部６２ａ箇所に接合されると同時に第２の側面部Ｒ２がこれに対向する第１の対向壁部６１ａ箇所に接合される。すると、第１の基部６１と第２の基部６２とで囲まれる空間領域に前記照明空間である空洞部５０が形成されるとともに、各光源２２に対応するように設けられる空洞部５０の周囲は鏡面層６３によって囲まれた状態となる。
【００４４】
次に、第１の鍔部６１ｃの第１のネジ孔６１ｈが回路基板２１の第１の開口孔２１ａに連通し、且つ第２の鍔部６２ｃの第２のネジ孔６２ｈが回路基板２１の第２の開口孔２１ｂに連通するように、回路基板２１上にケース体２７を載置する。
【００４５】
最後に、ネジＳのネジ部を第１、第２の鍔部６１ｃ、６２ｃの前面側から第１、第２のネジ孔６１ｈ、６２ｈ及び第１、第２の開口孔２１ａ、２１ｂに各々貫通させ、回路基板２１の背後に突出してなる前記ネジ部の下端部にナットＮを螺合させることで、回路基板２１とケース体２７とが密着するように重ね合わされ、回路基板２１とケース体２７との組み付けが完了する。
【００４６】
このとき、第２の対向壁部６１ｂの下端部には窪み形状からなる第３の切り欠き部６１ｇが設けられているので、回路基板２１と第２の対向壁部６１ｂとの間には略矩形状の開口窓からなる図示省略した第１の間隙部が形成され、同様に第４の対向壁部６２ｂの下端部には第６の切り欠き部６２ｇが設けられているので、回路基板２１と第４の対向壁部６２ｂとの間には略矩形状の開口窓からなる図示省略した第２の間隙部が形成される。
【００４７】
なお、回路基板２１とケース体２７との組み付け完了後、ケース体２７（本体部６０）上には拡散部材２５が適宜取付手段を用いて取り付けられる。このとき、拡散部材２５は、第１、第２の切り欠き部６１ｄ、６１ｆを除いた第１の基部６１の表面箇所、並びに第４、第５の切り欠き部６２ｄ、６２ｆを除いた第２の基部６２の表面箇所にて支持される構成となる。
【００４８】
このとき、第１の対向壁部６１ａの上端部には窪み形状からなる第１の切り欠き部６１ｄが設けられているので、拡散部材２５と第１の対向壁部６１ａとの間には略矩形状の開口窓からなる第３の間隙部７１（図３参照）が形成されるとともに、第２の対向壁部６１ｂの上端部には窪み形状からなる第２の切り欠き部６１ｆが設けられているので、拡散部材２５と第２の対向壁部６１ｂとの間には略矩形状の開口窓からなる図示省略した第４の間隙部が形成される。
【００４９】
また、第３の対向壁部６２ａの上端部には窪み形状からなる第４の切り欠き部６２ｄが設けられているので、拡散部材２５と第３の対向壁部６２ａとの間には略矩形状の開口窓からなる第５の間隙部７２（図３参照）が形成されるとともに、第４の対向壁部６２ｂの上端部には窪み形状からなる第５の切り欠き部６２ｆが設けられているので、拡散部材２５と第４の対向壁部６２ｂとの間には略矩形状の開口窓からなる図示省略した第６の間隙部が形成される。
【００５０】
このような構成において、各光源２２から発せられる照明光は、各光源２２の周囲となる空洞部５０の下端側開口５１から空洞部５０の上端側開口５２を通りケース体２７上に載置された拡散部材２５へと導かれる。
【００５１】
この際、各光源２２が発した熱は、まず各光源２２の周囲となる下端側開口５１の付近にこもり、その後、熱がこもっている下端側開口５１の付近の空気が膨張することに起因して、空気の比重が小さくなり熱（前記空気）は下端側開口５１から上端側開口５２側へと移動し、この上端側開口５２側に移動した熱が、上端側開口５２（空洞部５０）に連通するように本体部６０（ケース体２７）に形成された熱放出部である第１、第２、第４、第５の切り欠き部６１ｄ、６１ｆ、６２ｄ、６２ｆ（つまり第３、第５の間隙部７１、７２並びに前記第４、第６の間隙部）からケース体２７の外部へと放出される。
【００５２】
そして、このように上端側開口５２側に移動した熱がケース体２７外部に放出されると、空洞部５０が負圧の状態となり、外気導入部である第１、第２の貫通孔部６１ｅ、６２ｅ並びに第３、第６の切り欠き部６１ｇ、６２ｇ（つまり前記第１、第２の間隙部）を介して空洞部５０の下端側開口５１に外気が導入される。
【００５３】
すなわち、本実施形態の場合、熱せられた空気が熱放出部である第１、第２、第４、第５の切り欠き部６１ｄ、６１ｆ、６２ｄ、６２ｆを通じて空洞部５０からケース体２７外部へと放出されるとともに、外気が外気導入部である第１、第２の貫通孔部６１ｅ、６２ｅ並びに第３、第６の切り欠き部６１ｇ、６２ｇを通じてケース体２７外部から空洞部５０へと導入されるという、空洞部５０での空気循環に伴い、空洞部５０が高温状態となるのが抑制される。
【００５４】
このため、空洞部５０の周辺に位置するケース体２７や拡散部材２５には各光源２２の発光に伴い生じる熱が伝達されにくくなることから、ケース体２７や拡散部材２５の変形を極力防止することが可能となる。このようにケース体２７や拡散部材２５の変形が防止されることで、各光源２２から発せられる照明光は、液晶表示パネル２４側へと照明バラツキ等の抑制された状態で効率よく供給されることになるので、液晶表示パネル２４の照明品質が低下する虞はなくなる。
【００５５】
なお、各光源２２から発せられる照明光は、その一部が第１、第２の貫通孔部６１ｅ、６２ｅ、第３、第５の間隙部７１、７２並びに前記第１、第２、第４、第６の間隙部からケース体２７外部に漏洩するが、各基部６１、６２の前記内壁部には鏡面層６３が形成されていることで、前記照明光の光量は、ある程度確保された状態で拡散部材２５に導かれるようになっている。
【００５６】
そして、拡散部材２５から出射される前記拡散出射光は、レンズ部材２６を通過した後、前記平行出射光としてレンズ部材２６から出射される。このレンズ部材２６から出射される前記平行出射光によって液晶表示パネル２４は透過照明され、これにより液晶表示パネル２４から表示光Ｌが発せられる。かかる液晶表示パネル２４から発せられる表示光Ｌは、筐体２８の開口部２８ａを通過して反射器３０側に導かれる。
【００５７】
反射器３０は、液晶表示パネル２４から発せられた表示光Ｌを反射させる凹面鏡（反射部材）３１と、この凹面鏡３１を保持する合成樹脂からなるミラーホルダ（保持部材）３２とを備えてなる。
【００５８】
凹面鏡３１は、凹面を有するポリカーボネートからなる樹脂基板に反射層３１ａを蒸着形成してなるものである。かかる凹面鏡３１は、その反射層３１ａが液晶表示パネル２４並びにハウジング４０の後述する透光性カバーに対向し、前記透光性カバーから臨める位置に傾斜状態にて配設される。
【００５９】
また凹面鏡３１は、表示器２０からの表示光Ｌを拡大しつつ、前記透光性カバー（車両１０のフロントガラス１３）側へ反射させるものである。このことは、凹面鏡３１が、表示器２０から発せられる表示光Ｌを拡大し、この拡大された表示光Ｌを前記透光性カバーを通じてフロントガラス１３に投射することを意味している。なお、凹面鏡３１は、ミラーホルダ３２に両面粘着テープにより接着されている。
【００６０】
ハウジング４０は、例えば黒色の遮光性合成樹脂材料からなり、略箱型形状に形成され、その内部空間である空間部４１に表示器２０及び反射器３０を保持して収容するものであり、反射器３０における凹面鏡３１の配設位置の上部（フロントガラス１３側）が開口する開口窓部４２を備えてなる。
【００６１】
またハウジング４０には、開口窓部４２を塞ぐように出射部である透光性カバー４３が配設されてなる。かかる透光性カバー４３は、透光性の合成樹脂材料（例えばアクリル樹脂）からなり、凹面鏡３１で反射された表示光Ｌが透過（通過）する光透過性部材としての機能を有している。つまり、凹面鏡３１によって反射された表示光Ｌは、ハウジング４０に形成された透光性カバー４３を通じてフロントガラス１３に照射され、この照射によって得られた虚像Ｖを運転者１４が視認することになる。
【００６２】
以上のように本実施形態では、回路基板２１に各光源２２が配設された光源ユニット２３と、この光源ユニット２３の前方側に配置され、各光源２２からの照明光により照明される液晶表示パネル２４と、回路基板２１と液晶表示パネル２４との間に配置され、各光源２２に対応するように設けられる空洞部５０を有するケース体２７と、このケース体２７と液晶表示パネル２４との間に位置しケース体２７上に載置される被載置部材である拡散部材２５とを備え、回路基板２１が空洞部５０の下端側開口５１を塞ぐように配設されるとともに拡散部材２５が下端側開口５１とは反対側となる空洞部５０の上端側開口５２を塞ぐように配設されてなる照明装置において、ケース体２７には、各光源２２が発した熱をケース体２７の外部へ放出させるための熱放出部６１ｄ、６１ｆ、６２ｄ、６２ｆが形成されてなるものである。
【００６３】
従って、各光源２２が発した熱は、前述したように上端側開口５２に連通するように設けられた熱放出部である第１、第２、第４、第５の切り欠き部６１ｄ、６１ｆ、６２ｄ、６２ｆ（つまり第３、第５の間隙部７１、７２及び前記第４、第６の間隙部）を通じて空洞部５０からケース体２７の外部へと放出されるため、各光源２２の発光時に生じる熱によってケース体２７や拡散部材２５が変形するのが極力防止される。このようにケース体２７や拡散部材２５の変形が防止されることで、各光源２２から発せられる照明光は、液晶表示パネル２４側へと照明バラツキ等の抑制された状態で効率よく供給されることになるので、液晶表示パネル２４の照明品質が低下する虞はなくなる。
【００６４】
また本実施形態では、回路基板２１と拡散部材２５とケース体２７（本体部６０）とによって前記照明空間としての空洞部５０が形成されている例について説明したが、例えば拡散部材２５及びレンズ部材２６を廃止するとともにケース体２７上に液晶表示パネル２４を載置し、回路基板２１と液晶表示パネル２４とケース体２７（本体部６０）とによって前記照明空間としての空洞部５０を形成する構成であってもよい。つまり、この場合、液晶表示パネル２４が下端側開口５１とは反対側となる空洞部５０の上端側開口５２を塞ぐようにケース体２７上に載置（配設）される構成となる。
【００６５】
また本実施形態では、本体部６０に切り欠き形成された４つの切り欠き部６１ｄ、６１ｆ、６２ｄ、６２ｆを用いて、光源２２が発した熱を空洞部５０からケース体２７外部へと放出する例について説明したが、例えば４つの切り欠き部６１ｄ、６１ｆ、６２ｄ、６２ｆを廃止して、空洞部５０に連通するように各対向壁部６１ａ、６１ｂ、６２ａ、６２ｂの所定箇所（例えば略中央領域または略中央領域よりも上方側）に開口形成された４つの貫通孔部を用いて光源２２が発した熱を空洞部５０からケース体２７外部へと放出するようにしてもよい。なお、熱放出用の切り欠き部（または前記貫通孔部）の個数は任意であり、熱放出用の切り欠き部と前記貫通孔部とを混在させてもよい。
【００６６】
また本実施形態では、外気導入部である第１、第２の貫通孔部６１ｅ、６２ｅ及び第３、第６の切り欠き部６１ｇ、６２ｇを用いて、ケース体２７外部から下端側開口５１（空洞部５０）に外気を取り込む例について説明したが、例えば第１、第２の貫通孔部６１ｅ、６２ｅ及び第３、第６の切り欠き部６１ｇ、６２ｇを廃止して、各対向壁部６１ａ、６１ｂ、６２ａ、６２ｂの所定箇所（例えば略中央領域または略中央領域よりも下方側）に各対向壁部６１ａ、６１ｂ、６２ａ、６２ｂの板厚を貫通する４つの貫通孔を設け、かかる貫通孔を用いてケース体２７外部から空洞部５０に外気を取り込むようにしてもよい。なお、外気導入用の貫通孔部や切り欠き部（あるいは外気導入用の前記貫通孔）の個数は任意であり、また外気導入用の貫通孔部と切り欠き部と前記貫通孔とを混在させてもよい。
【００６７】
また本実施形態では、外気導入部である第１、第２の貫通孔部６１ｅ、６２ｅ及び第３、第６の切り欠き部６１ｇ、６２ｇを用いて、ケース体２７外部から下端側開口５１に外気を取り込む例について説明したが、例えば第１、第２の貫通孔部６１ｅ、６２ｅ及び第３、第６の切り欠き部６１ｇ、６２ｇを廃止して、第１、第２、第４、第５の切り欠き部６１ｄ、６１ｆ、６２ｄ、６２ｆが、熱放出部としての機能と外気導入部としての機能とを兼用する構成としてもよい。
【００６８】
また本実施形態では、第１の基部６１における第１の対向壁部６１ａと第１の鍔部６１ｃとの境界部分に第１の貫通孔部６１ｅを設け、第２の基部６２における第３の対向壁部６２ａと第２の鍔部６２ｃとの境界部分に第２の貫通孔部６２ｅを設けた例について説明したが、例えば本実施形態の変形例として図５に示すように回路基板２１に、第１の貫通孔部６１ｅに連通する略矩形状の貫通孔からなる第１の孔部２１ｃと、第２の貫通孔部６２ｅに連通する略矩形状の貫通孔からなる第２の孔部２１ｄとを設け、ケース体２７の周囲に存在する外気を各貫通孔部６１ｅ、６２ｅを通じて空洞部５０に取り込むと同時に回路基板２１の背後に存在する外気を各孔部２１ｃ、２１ｄ及び各貫通孔部６１ｅ、６２ｅを通じて空洞部５０に取り込むようにしてもよい。
【００６９】
また本実施形態では、２つの光源２２が回路基板２１の前記配線パターン上に搭載（実装）されている例について説明したが、例えば本実施形態の他の変形例として図６に示すように、前記配線パターンは回路基板２１とケース体２７との当接箇所を避けるように回路基板２１上に設けられることが望ましい。
【００７０】
具体的には、図６に示すように、回路基板２１の表面部Ｐには２つの光源２２に点灯用電力を供給するための配線パターン８０が設けられ、この配線パターン８０は、第１の配線部８１と、第２の配線部８２と、第３の配線部８３とから構成されている。
【００７１】
第１の配線部８１は、回路基板２１上に実装された第１のコネクタ８４の第１の端子部（図示せず）と、図６中、左方に位置する光源２２（以下、第１の光源２２ａという）に備えられる図示省略した一対の給電端子のうち一方の給電端子（図６中、第１の光源２２ａの下方側に位置する給電端子）とを導通接続するための直線状の導電路からなる。
【００７２】
第２の配線部８２は、第１の光源２２ａの前記一方の給電端子とは反対側に位置する第１の光源２２ａの他方の給電端子（図示せず）と、図６中、右方に位置する光源２２（以下、第２の光源２２ｂという）に備えられる図示省略した一対の給電端子のうち一方の給電端子（図６中、第２の光源２２ｂの上方側に位置する給電端子）とを導通接続するための略コの字状の導電路からなる。
【００７３】
また、第３の配線部８３は、第２の光源２２ｂの前記一方の給電端子とは反対側であって図６中、第２の光源２２ｂの下方側に位置する第２の光源２２ｂの他方の給電端子（図示せず）と、第１のコネクタ８４の第２の端子部（図示せず）とを導通接続するための直線状の導電路からなる。
【００７４】
そして、この場合、詳細図示は省略するが、前記液晶を駆動する前記駆動回路や各光源２２ａ、２２ｂを駆動する光源駆動回路、前記駆動回路及び前記光源駆動回路の制御を行うマイクロコンピュータからなる制御手段等が所定の回路パターンに実装されたメイン基板に備えられる第２のコネクタと、第１のコネクタ８４とは電気コード等の配線部材を介して電気的に接続されている。なお、当然のことであるが前記第２のコネクタは、前記回路パターンに実装されている。
【００７５】
従って、前記光源駆動回路は、前記回路パターン、前記第２のコネクタ、前記配線部材、第１のコネクタ８４並びに配線パターン８０を介して第１、第２の光源２２ａ、２２ｂと導通接続されることになる。そして、前記制御手段が各光源２２ａ、２２ｂを点灯動作させるための指令信号を前記光源駆動回路に出力すると、前記光源駆動回路は前記指令信号を受けて各光源２２ａ、２２ｂを点灯動作させる。つまり、このとき、前記回路パターン、前記第２のコネクタ、前記配線部材、第１のコネクタ８４、配線パターン８０を介し前記光源駆動回路から各光源２２ａ、２２ｂへと点灯用電力が供給されることで、各光源２２ａ、２２ｂが点灯（発光）する。
【００７６】
そして、図６の構成において、回路基板２１とケース体２７とが当接するように回路基板２１上にケース体２７を載置したとき、配線パターン８０が回路基板２１とケース体２７との当接箇所を避けるように設けられた構成となっている。
【００７７】
具体的には、配線パターン８０のうち第１、第３の配線部８１、８３は、前記照明空間（本体部６０の内部空間）である空洞部５０に対応する回路基板２１の表面箇所とケース体２７（第４の対向壁部６２ｂ）の下端側に形成された第６の切り欠き部６２ｇに対応する回路基板２１の表面箇所と第４の対向壁部６２ｂ外壁面と第１のコネクタ８４との間となる回路基板２１の表面箇所とにそれぞれ設けられているため、結果的に回路基板２１とケース体２７との当接箇所には全く存在していない構成となる。また、配線パターン８０のうち第２の配線部８２は、空洞部５０に対応する回路基板２１の表面箇所に設けられているため、結果的に回路基板２１とケース体２７との当接箇所には全く存在していない構成となる。
【００７８】
ところで、図６の構成において、第６の切り欠き部６２ｇが形成されていないケース体２７を回路基板２１上に載置したとき、回路基板２１上に設けられる配線パターン８０（第１、第３の配線部８１、８３）の一部が回路基板２１とケース体２７（第４の対向壁部６２ｂ）との当接箇所に位置することになる。ここで、配線パターン８０は微小な厚さを有するように回路基板２１の表面部（平坦部）Ｐ上に形成されていることから、配線パターン８０と回路基板２１の表面部Ｐとの境界には微小な段差が発生する。
【００７９】
そして、ケース体２７における４つの対向壁部６１ａ、６１ｂ、６２ａ、６２ｂの下端面が全て平坦面であるとすると、ケース体２７を回路基板２１上に載置（固定）した際、第１、第２、第３の対向壁部６１ａ、６１ｂ、６２ａと回路基板２１の表面部Ｐとは完全に密着するが、第４の対向壁部６２ｂと表面部Ｐとは前述した段差があるため完全に密着せず、これに伴いケース体２７が直立状態ではなく僅かに傾くように回路基板２１上に載置され、各光源２２ａ、２２ｂから拡散部材２５に至る照明光の照明効率に悪影響を与える虞がある。
【００８０】
これに対し、上述した本実施形態の他の変形例では、配線パターン８０が、回路基板２１とケース体２７との当接箇所を避けるように回路基板２１表面に設けられていることにより、平坦面形状である４つの対向壁部６１ａ、６１ｂ、６２ａ、６２ｂの下端面と回路基板２１の表面部（平坦部）Ｐとがそれぞれ完全に密着し、ケース体２７が直立状態となるようにケース体２７を回路基板２１上に載置（固定）することが可能な構成となる。従って、前記他の変形例にあっては、各光源２２ａ、２２ｂの発光時に生じる熱によってケース体２７等が変形するのを極力防止することができるだけではなく、ケース体２７が直立状態となるように回路基板２１上に配置されることで各光源２２ａ、２２ｂから拡散部材２５に至る照明光の照明効率に悪影響を与える虞がなくなる。
【００８１】
なお、前記他の変形例において、配線パターン８０における各配線部８１、８２、８３の形状は、回路基板２１とケース体２７との当接箇所を避けるような形状であれば、自由に設定することができることは言うまでもない。
【００８２】
また本実施形態では、回路基板２１上に２個の光源２２が実装されている例について説明したが、回路基板２１上に実装される光源２２の個数は、１個でもよいし３個以上であってもよい。
【００８３】
なお本実施形態では、液晶表示パネル２４から発せられる表示光Ｌが、フロントガラス１３に投射される例について説明したが、例えばフロントガラス１３に表示光Ｌを良好に運転者１４方向に反射させるコンバイナフィルムを設けてもよいし、あるいはフロントガラス１３とは別の専用の反射体に表示光Ｌを投射する構成としてもよい。
【符号の説明】
【００８４】
２０    表示器（照明装置）
２１    回路基板（基板）
２１ｃ  第１の孔部
２１ｄ  第２の孔部
２２    光源
２３    光源ユニット
２４    液晶表示パネル（被照明部材）
２５    拡散部材（被載置部材）
２７    ケース体
５０    空洞部
５１    下端側開口
５２    上端側開口
６０    本体部
６１    第１の基部
６１ａ  第１の対向壁部
６１ｂ  第２の対向壁部
６１ｄ  第１の切り欠き部（熱放出部）
６１ｅ  第１の貫通孔部（外気導入部）
６１ｆ  第２の切り欠き部（熱放出部）
６１ｇ  第３の切り欠き部（外気導入部）
６２    第２の基部
６２ａ  第３の対向壁部
６２ｂ  第４の対向壁部
６２ｄ  第４の切り欠き部（熱放出部）
６２ｅ  第２の貫通孔部（外気導入部）
６２ｆ  第５の切り欠き部（熱放出部）
６２ｇ  第６の切り欠き部（外気導入部）
６３    鏡面層
８０    配線パターン
８１    第１の配線部
８２    第２の配線部
８３    第３の配線部
【図１】
0005633724.tif 000002
【図２】
0005633724.tif 000003
【図３】
0005633724.tif 000004
【図４】
0005633724.tif 000005
【図５】
0005633724.tif 000006
【図６】
0005633724.tif 000007